(57)【要約】【課題】コストを抑えながら高い制震効果を発揮する球形タンクの支持構造、及び交差ブレースを提供する。【解決手段】地盤１０１に設けられた基礎２と、互いに離間して基礎２から鉛直方向上方に向かって立設されて球形タンク１００の外周面で球形タンク１００を支持する複数の支柱３と、隣接する支柱３同士の間に、交差するように設けられた交差ブレース５と、を備え、交差ブレース５は、交差する位置よりも下部のみが座屈拘束ブレースとなっていることを特徴とする。【選択図】図１
0003184182.tif 000002
【実用新案登録請求の範囲】
【請求項１】
地盤に設けられた基礎と、互いに離間して前記基礎から鉛直方向上方に向かって立設されて球形タンクの外周面で該球形タンクを支持する複数の支柱と、隣接する前記支柱同士の間に、交差するように設けられた交差ブレースと、
を備え、
前記交差ブレースは、交差する位置よりも下部のみが座屈拘束ブレースとなっていることを特徴とする球形タンクの支持構造。
【請求項２】
前記交差ブレースは、隣接する前記支柱のうちで、一の支柱の上部と他の支柱の下部との間にわたって設けられた第一のブレースと、前記第一のブレースの中間位置と前記一の支柱の下部との間に設けられた第二のブレースと、前記中間位置と前記他の支柱の上部との間に設けられた第三のブレースと、
を有し、
前記第一のブレースの前記中間位置よりも下部は、第一の芯材と、該第一の芯材を覆う第一の拘束部材と、これら第一の芯材と第一の拘束部材との間に充填された第一の充填材と、を有する座屈拘束ブレースとなっており、
前記第一のブレースの前記中間位置よりも上部は、第一の鋼管を有する鋼管ブレースとなっており、
前記第二のブレースは、第二の芯材と、該第二の芯材を覆う第二の拘束部材と、これら第二の芯材と第二の拘束部材との間に充填された第二の充填材と、を有する座屈拘束ブレースとなっており、
前記第三のブレースは、第二の鋼管を有する鋼管ブレースとなっている、
ことを特徴とする請求項１に記載の球形タンクの支持構造。
【請求項３】
前記交差ブレースは、前記第一の芯材と一体で該第一の芯材の両側に張り出して設けられた接合部材を有し、
前記第二のブレース及び前記第三のブレースが前記接合部材を介して前記第一のブレースにボルトで接合されていることを特徴とする請求項２に記載の球形タンクの支持構造。
【請求項４】
前記第一のブレースは、前記第一の芯材及び前記接合部材に前記第一の鋼管が溶接接合されていることを特徴とする請求項３に記載の球形タンクの支持構造。
【請求項５】
地盤に設けられた基礎から互いに離間して鉛直方向上方に向かって立設され、球形タンクの外周面で該球形タンクを支持する複数の支柱のうち、隣接する前記支柱同士の間に、交差するように設けられた交差ブレースであって、
交差する位置よりも下部のみが座屈拘束ブレースとなっていることを特徴とする交差ブレース。
【考案の詳細な説明】
【技術分野】
【０００１】
本考案は、石油や液化ガス等を貯蔵する球形タンクの支持構造、及びこれに用いられる交差ブレースに関する。
【背景技術】
【０００２】
従来から、液化天然ガス（ＬＮＧ）等の液体を貯蔵する球形タンクが知られている。この球形タンクは、基礎に設けられた支柱によって基礎と離間した位置に支持されているため、地震等の発生によって球形タンクに振動が生じた場合には全ての力を支柱で受けることになる。また球形タンクの振動によって内部の液体にスロッシングが生じて、液体が外部に漏洩してしまうおそれもある。
【０００３】
従って、振動を減衰するために支柱間にはＸ字状に交差するように、ブレース（筋交い）を設けている。そしてこのブレースには例えばオイルダンパを用いることが可能である。ところがこのオイルダンパでは、減衰効果が外気温度に左右されるため期待通りの減衰効果を得ることが難しいことや、部品点数も多くなりコスト面で好ましくない。
【０００４】
そこで、振動を減衰する他の手法として、例えば特許文献１に記載されているように支柱間に座屈拘束ブレースを用いることが考えられる。この座屈拘束ブレースは、軸力を受ける芯材が、外周側から鋼管とコンクリートやモルタルによって拘束されることで、面外変形や座屈を防止されながら塑性変形することで、振動を抑制することができる。
【先行技術文献】
【特許文献】
【０００５】
【特許文献１】特開２０００−４５５６２号公報
【考案の概要】
【考案が解決しようとする課題】
【０００６】
しかしながら、特許文献１に開示された構造では、ブレースを全長に亘って座屈拘束ブレースによって構成しているため重量が大きくなってしまう。従って、基礎の強化が必要となってしまい工期が長くなり、コストアップの要因となる。
【０００７】
本考案はこのような事情を考慮してなされたものであり、コストを抑えながら高い制震効果を発揮する球形タンクの支持構造を提供することを目的とする。
【課題を解決するための手段】
【０００８】
上記課題を解決するため、本考案は以下の手段を採用している。
即ち、本考案に係る球形タンクの支持構造は、地盤に設けられた基礎と、互いに離間して前記基礎から鉛直方向上方に向かって立設されて球形タンクの外周面で該球形タンクを支持する複数の支柱と、隣接する前記支柱同士の間に、交差するように設けられた交差ブレースと、を備え、前記交差ブレースは、交差する位置よりも下部のみが座屈拘束ブレースとなっていることを特徴とする。
【０００９】
このような球形タンクの支持構造によると、交差ブレースの全長を座屈拘束ブレースによって構成する場合と比較して、交差ブレースの重量を低減できるため、支柱を支持する基礎を軽微にすることができる。
【００１０】
また、前記交差ブレースは、隣接する前記支柱のうちで、一の支柱の上部と他の支柱の下部との間にわたって設けられた第一のブレースと、前記第一のブレースの中間位置と前記一の支柱の下部との間に設けられた第二のブレースと、前記中間位置と前記他の支柱の上部との間に設けられた第三のブレースと、を有し、前記第一のブレースの前記中間位置よりも下部は、第一の芯材と、該第一の芯材を覆う第一の拘束部材と、これら第一の芯材と第一の拘束部材との間に充填された第一の充填材と、を有する座屈拘束ブレースとなっており、前記第一のブレースの前記中間位置よりも上部は、第一の鋼管を有する鋼管ブレースとなっており、前記第二のブレースは、第二の芯材と、該第二の芯材を覆う第二の拘束部材と、これら第二の芯材と第二の拘束部材との間に充填された第二の充填材と、を有する座屈拘束ブレースとなっており、前記第三のブレースは、第二の鋼管を有する鋼管ブレースとなっていてもよい。
【００１１】
このような球形タンクの支持構造によると、第一のブレースの下部、及び第二のブレースを座屈拘束ブレースとし、第一のブレースの上部、及び第三のブレースを鋼管ブレースとしたことにより、交差ブレースの交差位置よりも下部のみを座屈拘束ブレースとしている。従って、交差ブレースの全長を座屈拘束ブレースによって構成する場合と比較して、第一、第二の充填材の充填量を低減して交差ブレースの重量を低減できるため、支柱を支持する基礎を軽微にすることができ、コスト抑制につながる。また、交差ブレースの上部は、下部と比較して球形タンクに近接している。ここで、球形タンク内に例えば液化ガス等が貯蔵されている場合には、球形タンク自体の温度は低くなっているため、この球形タンクに近接する交差ブレースの上部は低温の状態となる。一般に鉄鋼材料においては、温度が低い程、剛性が高くなる傾向を示すため、交差ブレースの全長を座屈拘束ブレースによって構成すると芯材が低温環境にさらされることになるので、所定の剛性を超える課題が生じる。しかし、交差ブレースの交差位置より下部のみを座屈拘束ブレースとすれば芯材は低温環境にさらされることがなく、所定の剛性を確保できる。
【００１２】
また、前記交差ブレースは、前記第一の芯材と一体で該第一の芯材の両側に張り出して設けられた接合部材を有し、前記第二のブレース及び前記第三のブレースが前記接合部材を介して前記第一のブレースにボルトで接合されていてもよい。
【００１３】
交差ブレースにおいて、交差する部分である第二のブレース及び第三のブレースの接合部に溶接を適用する場合には、溶接作業に高い技量が要求される。また、溶接部分での応力集中、経年劣化などの問題があり信頼性が十分でない。この点、第一のブレースにおける第一の芯材と一体となった接合部材を介して第二のブレース及び第三のブレースが第一のブレースにボルト接合されていることで接合が容易であり、また例えばボルトを挿通するボルト孔に多少の余裕を持たせておくことで、支柱の設置精度に関わらず確実に第一のブレース、第二のブレース、第三のブレースを接合し、交差ブレースを構成することができる。
【００１４】
さらに、前記第一のブレースは、前記第一の芯材及び前記接合部材に前記第一の鋼管が溶接接合されていてもよい。
【００１５】
このように接合することで、第一のブレースにおいて鋼管ブレースと座屈拘束ブレースとを一体に形成することができる。
【００１６】
また、本考案に係る交差ブレースは、地盤に設けられた基礎から互いに離間して鉛直方向上方に向かって立設され、球形タンクの外周面で該球形タンクを支持する複数の支柱のうち、隣接する前記支柱同士の間に、交差するように設けられた交差ブレースであって、交差する位置よりも下部のみが座屈拘束ブレースとなっていることを特徴とする。
【００１７】
このような交差ブレースによると、交差ブレースの全長を座屈拘束ブレースによって構成する場合と比較して、交差ブレースの重量を低減できるため、支柱を支持する基礎を軽微にすることができ、コスト抑制につながる。
【考案の効果】
【００１８】
請求項１の球形タンクの支持構造によると、コストを抑えながら高い制震効果を発揮することができる。
【００１９】
請求項２の球形タンクの支持構造によると、剛性の確保とさらなるコスト抑制が同時に可能となる。
【００２０】
また、請求項３の球形タンクの支持構造によると、第一の芯材と一体となった接合部材を用いて交差ブレースを構成することで、接合部の品質が技量に大きく左右されないことや、接合作業の容易化が可能となる。
【００２１】
さらに、請求項４の球形タンクの支持構造によると、座屈拘束ブレースと鋼管ブレースを一体に形成することで、コストを抑えながら高い制震効果を発揮することができる。
【００２２】
また、請求項５の交差ブレースによると、下部のみを座屈拘束ブレースとしたことで、コストを抑えながら高い制震効果を発揮することができる。
【図面の簡単な説明】
【００２３】
【図１】本考案の実施形態に係る球形タンクの支持構造に関し、球形タンク及び支持構造を示す全体概略側面図である。
【図２】本考案の実施形態に係る球形タンクの支持構造に関し、交差ブレースを示す全体斜視図である。
【図３】本考案の実施形態に係る球形タンクの支持構造に関し、交差ブレースを示す全体斜視図であって、切断して内部を示すものである。
【考案を実施するための形態】
【００２４】
以下、本考案の実施形態に係る球形タンク１００の支持構造１（以下、単に支持構造１とする）について説明する。
本実施形態で支持構造１によって支持される球形タンク１００は外形が球状をなしており、内部に例えば石油や、液化ガスを貯蔵するタンクである。
【００２５】
図１に示すように、支持構造１は、地盤１０１に設けられた基礎２と、基礎２に設けられて球形タンク１００を支持する複数の支柱３と、これら支柱３のうち隣接する支柱３同士の間に設けられた交差ブレース５とを備えている。
【００２６】
基礎２は、モルタル等を用いて地盤１０１を固めて構成され、支柱３からの荷重を地盤１０１へ伝達する。
【００２７】
支柱３は、球形タンク１００の外周側で基礎２に固定されて鉛直方向の上方に向かって複数が立設された柱状部材である。そして本実施形態では、これら支柱３は、球形タンク１００の鉛直方向を向く軸線Ｐの周方向に等間隔で配されており、各々の支柱３は球形タンク１００における高さ方向の中央位置まで延び、この中央位置で球形タンク１００の外周面に固定されることで、球形タンク１００を鉛直方向に基礎２と離間した状態で支持している。
【００２８】
交差ブレース５は、軸線Ｐの周方向に隣接する支柱３間に設けられている。
ここで、図１における左右の中央位置で、紙面に向かって右側に配された支柱３を第一の支柱３Ａ（一の支柱）とし、左側に配された支柱３を第二の支柱３Ｂ（他の支柱）とする。
【００２９】
そして、この交差ブレース５は、第一の支柱３Ａの上部と第二の支柱３Ｂの下部との間に設けられた長尺ブレース１０（第一のブレース）と、長尺ブレース１０の延在方向の中間位置Ｃと第一の支柱３Ａの下部との間に設けられた下側短尺ブレース３０（第二のブレース）と、上記中間位置Ｃと第二の支柱３Ｂの上部との間に設けられた上側短尺ブレース４０（第三のブレース）とを有している。
これによって、交差ブレース５は、鉛直方向の中間位置Ｃで交差するＸ字状をなしている。
【００３０】
図１から図３に示すように、長尺ブレース１０は、第一の支柱３Ａと第二の支柱３Ｂとの間に鉛直方向に対して傾斜して設けられている。
そして、この長尺ブレース１０は、第一軸線Ｐ１を中心とした筒状をなす鋼管部材１３（第一の拘束部材、第一の鋼管）と、鋼管部材１３によって覆われて、前記第一軸線Ｐ１の方向に延びる芯材１１（第一の芯材）と、これら鋼管部材１３と芯材１１との間に充填された充填材３４（第一の充填材）と、上記中間位置Ｃにおいて芯材１１と一体に設けられたガセットプレート１５（接合部材）とを有している。
【００３１】
芯材１１は、長尺ブレース１０の中間位置Ｃよりも下側で、下端部１１ａが第一軸線Ｐ１の方向に鋼管部材１３から外部へ突出するように設けられているとともに、長尺ブレース１０の中間位置Ｃよりも下部となる鋼管部材１３の内部の中途位置に上端部１１ｂが位置するように、第一軸線Ｐ１の方向に板状をなして延びている。またこの芯材１１は、第一軸線Ｐ１を含む平面上に配されている。
【００３２】
また、芯材１１には、下端部１１ａにおいて断面十字形状となるように、鋼管部材１３の内外にわたって表面及び裏面から突出する板状の芯材リブ１２が設けられている。
【００３３】
ガセットプレート１５は、芯材１１の上端部１１ｂに連続するように芯材１１と一体に設けられている。
そして、このガセットプレート１５は、芯材１１の上端部１１ｂから長尺ブレースの中間位置Ｃを越えて、この中間位置Ｃよりも上部の鋼管部材１３の中途位置まで、第一軸線Ｐ１の方向に延びる板状をなす板状部１６と、板状部１６から上側短尺ブレース４０及び下側短尺ブレース３０の方向に向かって鋼管部材１３の外部へ延びる張出部１７とを有している。
【００３４】
板状部１６は、芯材１１の上端部１１ｂに連続するように芯材１１と同じ平面上に配され、芯材１１の板幅寸法よりも板幅寸法が大きくなって第一軸線Ｐ１の方向に延びている。さらに、この板状部１６には、断面十字形状となるように第一軸線Ｐ１の方向の全域にわたって第一軸線Ｐ１を含む平面上に配されて、表面及び裏面から突出する板状をなす板状部リブ１８が設けられている。
【００３５】
張出部１７は、芯材１１と同じ平面上に配されて板状をなし、板状部１６に一体に第一軸線Ｐ１を挟んで対称に一対が設けられている。また、この張出部１７には、断面十字形状となるように、第一軸線Ｐ１に交差する後述する第二軸線Ｐ２の方向の全域にわたって、第二軸線Ｐ２を含む平面上に配されて、表面及び裏面から突出する板状の張出部リブ１９が設けられている。なお本実施形態では、これら一対の張出部１７は、第一軸線Ｐ１から第二軸線Ｐ２の方向に向かって離間するに従って、第一軸線Ｐ１方向の幅寸法が徐々に狭くなる四角形状をなしている。
【００３６】
鋼管部材１３は、芯材１１を覆うとともにガセットプレート１５を挟み込むようにして、すみ肉溶接によってこれら芯材１１及びガセットプレート１５に接合されている。なお本実施形態では、鋼管部材１３の外周面から、ガセットプレート１５の板状部１６、板状部リブ１８の一部が突出するようにして、鋼管部材１３がこれらに接合されている。
【００３７】
また、この鋼管部材１３の下端部には下端部蓋２１が、上端部には上端部蓋２２が、及び下端部と長尺ブレース１０の中間位置Ｃとの間の中途位置には中間部蓋２３が、鋼管部材１３の外周面から第一軸線Ｐ１の径方向外側に向かってフランジ状に突出して設けられている。
そして、下端部蓋２１は芯材１１及び芯材リブ１２が第一軸線Ｐ１方向に貫通して設けられており、中間部蓋２３は、ガセットプレート１５の板状部１６、及び板状部リブ１８と一体に設けられている。
【００３８】
さらに、上端部蓋２２には、上端部蓋２２と一体に上端部蓋２２から第一軸線Ｐ１の方向の両側に向かって、芯材１１及びガセットプレート１５が配された平面と同一平面上で板状をなして延びる端部板状部２４が設けられている。また、上端部蓋２２には、第一軸線Ｐ１の方向の全域にわたって、端部板状部２４の表面及び裏面から突出するように板状の端部板状部リブ２５が設けられている。即ち、これら端部板状部２４と端部板状部リブ２５とが断面十字形状となるように設けられている。
【００３９】
そして本実施形態では、これら端部板状部２４及び端部板状部リブ２５は、この鋼管部材１３の外周面から一部が突出するようにして、鋼管部材１３に溶接によって接合されている。
【００４０】
充填材３４は、中間部蓋２３と下端部蓋２１との間で、鋼管部材１３の内部に充填されたモルタル（コンクリート）である。この充填材３４は、芯材１１を外周側から拘束することで、第一軸線Ｐ１以外の方向への芯材１１の面外変形、座屈を防止しながら、芯材１１の塑性変形による振動のエネルギー吸収を行う。
【００４１】
このようにして、長尺ブレース１０は、上記中間位置Ｃを挟んで第一軸線Ｐ１の下部が座屈拘束ブレースとなっており、また中間位置Ｃを挟んで上部は鋼管ブレースとなっている。
【００４２】
次に、下側短尺ブレース３０について説明する。
下側短尺ブレース３０は、長尺ブレース１０におけるガセットプレート１５に接合されているとともに、第一の支柱３Ａの下部と接合されている。
【００４３】
また、この下側短尺ブレース３０は、長尺ブレース１０の中間位置Ｃで第一軸線Ｐ１と交差する第二軸線Ｐ２を中心とした筒状をなす鋼管部材３３（第二の拘束部材）と、鋼管部材３３によって覆われて、第二軸線Ｐ２の方向に延びる芯材３１（第二の芯材）と、これら鋼管部材３３と芯材３１との間に充填された充填材３４（第二の充填材）とを有している。
【００４４】
芯材３１は、第二軸線Ｐ２の方向に延びているとともに、この第二軸線Ｐ２を含む平面上に配されて、下端部３１ａ及び上端部３１ｂが第二軸線Ｐ２の方向に鋼管部材３３から突出するように設けられている。また、この下端部３１ａ、上端部３１ｂにおいて芯材３１には、断面十字形状となるように、鋼管部材１３の内外にわたって表面及び裏面から突出する板状の芯材リブ３２が設けられている。
【００４５】
そして、芯材３１における鋼管部材３３から突出した上端部３１ｂがガセットプレート１５の張出部１７に、取付板５１を介してボルト５０によって接合されており、一方で、芯材３１における鋼管部材３３から突出した下端部３１ａが第一の支柱３Ａに設けられたブラケット４に取付板５１を介してボルト５０で接合されている。
【００４６】
鋼管部材３３は、芯材３１を覆うとともに、下端部には下端部蓋３６が、上端部には上端部蓋３７が、鋼管部材３３の外周面から第二軸線Ｐ２の径方向外側に向かってフランジ状に突出して設けられている。そして、芯材３１及び芯材リブ３２が下端部蓋３６、上端部蓋３７を第二軸線Ｐ２の方向に貫通して設けられている。
【００４７】
充填材３４は、長尺ブレース１０と同様にモルタル（コンクリート）であり、上端部蓋３７と下端部蓋３６との間で、鋼管部材３３の内部に充填されている。そして、このような芯材３１、鋼管部材３３、充填材３４によって下側短尺ブレース３０は、座屈拘束ブレースとなっている。
【００４８】
次に、上側短尺ブレース４０について説明する。
上側短尺ブレース４０は、長尺ブレース１０におけるガセットプレート１５に接合されているとともに、第二の支柱３Ｂの上部と接合されている。
【００４９】
また、この上側短尺ブレース４０は、第二軸線Ｐ２を中心とした筒状をなす鋼管部材４３（第二の鋼管）を有しており、この鋼管部材４３は、下端部には下端部蓋４６が、上端部には上端部蓋４７が、鋼管部材４３の外周面から第二軸線Ｐ２の径方向外側に向かってフランジ状に突出して設けられている。
【００５０】
さらに下端部蓋４６及び上端部蓋４７には、これら下端部蓋４６、上端部蓋４７各々と一体に、下端部蓋４６、上端部蓋４７各々から第二軸線Ｐ２の方向の両側に向かって、下側短尺ブレース３０の芯材３１及びガセットプレート１５が配された平面と同一平面上で板状をなして延びる端部板状部４８が設けられている。また、下端部蓋４６、上端部蓋４７各々には、第二軸線Ｐ２の方向の全域にわたってこの端部板状部４８の表面及び裏面から突出する板状の端部板状部リブ４９が設けられている。即ち、端部板状部４８と端部板状部リブ４９とが断面十字形状となるように設けられている。
【００５１】
そして本実施形態では、これら端部板状部４８及び端部板状部リブ４９は、鋼管部材４３の外周面から一部突出するようにして、鋼管部材４３に溶接によって接合されている。
このような構成によって、上側短尺ブレース４０は、鋼管ブレースとなっている。
【００５２】
そして、鋼管部材４３から突出した下端部蓋４６の端部板状部４８がガセットプレート１５の張出部１７に、取付板５１を介してボルト５０によって接合されており、一方で、鋼管部材４３から突出した上端部蓋４７の端部板状部４８が第二の支柱３Ｂに設けられたブラケット４に取付板５１を介してボルト５０で接合されている。
【００５３】
このような支持構造１によると、長尺ブレース１０において中間位置Ｃを挟んで、即ちガセットプレート１５を挟んで下部を座屈拘束ブレースとし、また、下側短尺ブレース３０を座屈拘束ブレースとしている。一方で、長尺ブレース１０においてガセットプレート１５を挟んで上部を鋼管ブレースとし、上側短尺ブレース４０を鋼管ブレースとしている。よって、交差ブレース５は、ガセットプレート１５よりも下部のみが座屈拘束ブレースとなっている。
【００５４】
従って、交差ブレース５の全長を座屈拘束ブレースによって構成する場合と比較して、充填材３４の低減によって交差ブレース５の重量を低減できる。このため、支柱３を支持する基礎２を軽微にすることができ、コスト抑制につながる。
【００５５】
また、交差ブレース５の上部は、下部と比較して球形タンク１００に近接している。ここで球形タンク１００内に例えば液化ガス等が貯蔵されている場合には、球形タンク１００自体の温度は低くなっており、この球形タンク１００に近接する長尺ブレース１０の上部、及び上側短尺ブレース４０は低温の状態となる。
一般に鉄鋼材料においては、温度が低い程、剛性が高くなる傾向を示すため、交差ブレース５の全長を座屈拘束ブレースによって構成すると芯材１１が低温環境にさらされることになるので、所定の剛性を超える課題が生じる。しかし、交差ブレース５の交差位置より下部のみを座屈拘束ブレースとすれば芯材１１は低温環境にさらされることがなく、所定の剛性を確保できる。
【００５６】
また、交差ブレース５においては、長尺ブレース１０と下側短尺ブレース３０及び上側短尺ブレース４０とがボルト５０によって接合されているため、溶接で接合されている場合と比べて接合作業に高い技量が要求されることはない。また、溶接部分での応力集中、経年劣化などの問題もなく、接合部分の信頼性を向上できる。
【００５７】
また、例えばボルト５０を挿通するボルト孔に多少の余裕を持たせておくことで、支柱３の設置精度に関わらず確実に長尺ブレース１０と下側短尺ブレース３０及び上側短尺ブレース４０とを確実に接合し、交差ブレース５とすることができるため、接合部の品質が技量に大きく左右されないこと、接合作業の容易化が可能となる。
【００５８】
さらに、長尺ブレース１０においては、すみ肉溶接によって鋼管部材１３とガセットプレート１５とが接合されていることで、一体のブレースにおいて、下部を座屈拘束ブレースにでき、また上部を鋼管ブレースとすることができる。
【００５９】
本実施形態の支持構造１によると、交差ブレース５の下部のみを座屈拘束ブレースとしたことで、コストを抑えながら高い制震効果を発揮することができる。
【００６０】
以上、本考案の実施形態について詳細を説明したが、本考案の技術的思想を逸脱しない範囲内において、多少の設計変更も可能である。
例えば、ガセットプレート１５における張出部１７は、上述の形状には限定されず、最も効果的に支柱３からの荷重を受けることができるように適宜選択可能である。
【００６１】
また交差ブレース５においては、長尺ブレース１０と、下側短尺ブレース３０及び上側短尺ブレース４０とが、長尺ブレース１０の中間位置Ｃで接合されているが、必ずしも中間である必要はなく、例えば、第一軸線Ｐ１方向の上下方向に偏った位置で接合されていてもよい。即ち、交差ブレース５の交差位置は、中央位置Ｃに限定されない。
【符号の説明】
【００６２】
１…支持構造  ２…基礎  ３…支柱  ３Ａ…第一の支柱  ３Ｂ…第二の支柱  ４…ブラケット  ５…交差ブレース  １０…長尺ブレース（第一のブレース）  １１…芯材（第一の芯材）  １１ａ…下端部  １１ｂ…上端部  １２…芯材リブ  １３…鋼管部材（第一の拘束部材、第一の鋼管）  １５…ガセットプレート  １６…板状部  １７…張出部  １８…板状部リブ  １９…張出部リブ  ２１…下端部蓋  ２２…上端部蓋  ２３…中間部蓋  ２４…端部板状部  ２５…端部板状部リブ  ３０…下側短尺ブレース（第二のブレース）  ３１…芯材（第二の芯材）  ３１ａ…下端部  ３１ｂ…上端部  ３２…芯材リブ  ３３…鋼管部材（第二の拘束部材）  ３４…充填材（第一、第二の充填材）  ３６…下端部蓋  ３７…上端部蓋  ４０…上側短尺ブレース（第三のブレース）  ４３…鋼管部材（第二の鋼管）  ４６…下端部蓋  ４７…上端部蓋  ４８…端部板状部  ４９…端部板状部リブ  ５０…ボルト  ５１…取付板  １００…球形タンク  １０１…地盤  Ｐ…軸線  Ｐ１…第一軸線  Ｐ２…第二軸線  Ｃ…中間位置
【図１】
0003184182.tif 000003
【図２】
0003184182.tif 000004
【図３】
0003184182.tif 000005